(57)【要約】【課題】陳列する商品の大きさに柔軟に対応することができるとともに、陳列棚に陳列された商品を見やすくすることができるオープン型のショーケースを提供する。【解決手段】本発明によるオープン型のショーケース１の陳列棚２０は、棚取付用後壁１２に着脱可能に取り付けられている。陳列棚２０は、冷気を陳列室２に放出する棚冷気放出部２３を有している。棚取付用後壁１２の棚取付部３０Ｅに対応して後壁開口部３１Ｅが設けられている。後壁開口部３１Ｅに、後壁開口部３１Ｅを開閉可能な開閉部材７０Ｅが設けられている。開閉部材７０Ｅは、付勢部材７１によって対応する後壁開口部３１Ｅを閉塞する方向に付勢されている。陳列棚２０は、棚取付部３０Ｅに取り付けられた場合に、対応する開閉部材７０Ｅを押圧して後壁開口部３１Ｅを開放する押圧部２７を更に有している。【選択図】図１２
2018033607.tif 000002
【特許請求の範囲】
【請求項１】
商品が陳列される陳列室に冷気を供給するように構成されたオープン型のショーケースであって、
前記陳列室の下方に設けられ、陳列室底板を有する基台と、
前記陳列室の後方に設けられた後壁と、
前方から見たときに前記後壁の両側に設けられた棚取付用後壁と、
前記後壁から前方に延びるとともに前記棚取付用後壁に着脱可能に取り付けられた陳列棚と、
前記陳列室に前記冷気を供給する冷気供給部と、を備え、
前記陳列棚は、前記冷気供給部から供給された前記冷気を前記陳列室に放出する棚冷気放出部を有し、
前記棚取付用後壁は、互いに異なる高さ位置に前記陳列棚を取り付け可能な複数の棚取付部を有し、
前記後壁は、前記棚取付部に対応して設けられた複数の後壁開口部を有し、
前記後壁開口部の各々に、当該後壁開口部を開閉可能な開閉部材が設けられ、
前記開閉部材は、付勢部材によって対応する前記後壁開口部を閉塞する方向に付勢され、
前記陳列棚は、前記棚取付部に取り付けられた場合に、対応する前記開閉部材を押圧して前記後壁開口部を開放する押圧部を更に有し、
前記後壁開口部が開放された場合、前記冷気供給部からの前記冷気が、前記陳列棚の前記棚冷気放出部に供給される、オープン型のショーケース。
【請求項２】
前記開閉部材は、ヒンジ部を介して、前記後壁に揺動可能に取り付けられ、
前記ヒンジ部は、前記開閉部材を、対応する前記後壁開口部を閉塞する方向に付勢する前記付勢部材として構成されている、請求項１に記載のオープン型のショーケース。
【請求項３】
前記開閉部材は、前記押圧部が当接する被当接面を含み、
前記押圧部は、前記開閉部材が対応する前記後壁開口部を開放している場合に前記被当接面に平行になる当接面を含んでいる、請求項２に記載のオープン型のショーケース。
【請求項４】
前記陳列棚内に、前記後壁開口部を介して供給される前記冷気を前記棚冷気放出部に供給する棚ダクトが設けられている、請求項１乃至３のいずれか一項に記載のオープン型のショーケース。
【請求項５】
前記後壁の後方に、前記冷気供給部と複数の前記後壁開口部とを連通した後壁ダクトが設けられ、
前記開閉部材の各々は、前記後壁ダクト内に配置されている、請求項１乃至４のいずれか一項に記載のオープン型のショーケース。
【請求項６】
複数の前記開閉部材のうち他の前記開閉部材よりも下方に配置された前記開閉部材は、対応する前記棚取付部に前記陳列棚が取り付けられた場合に、当該他の開閉部材に対応する前記後壁開口部への前記冷気の供給を遮断する、請求項１乃至５のいずれか一項に記載のオープン型のショーケース。
【発明の詳細な説明】
【技術分野】
【０００１】
本発明は、商品が陳列される陳列室に冷気を供給するように構成されたオープン型のショーケースに関する。
【背景技術】
【０００２】
従来より、商品が陳列される陳列室に冷気を供給するように構成されたショーケースが知られている（例えば、特許文献１参照）。このショーケースでは、一般に、ファンによって陳列室から吸引された空気が冷却器に送られ、冷却器によって空気が冷却されて冷気となり、陳列室に供給される。このようにして、冷気（空気）が循環するようになっている。
【先行技術文献】
【特許文献】
【０００３】
【特許文献１】特許第３４５７６４８号公報
【発明の概要】
【発明が解決しようとする課題】
【０００４】
従来の典型的なオープン型のショーケースを、図１８に示す。図１８に示すショーケース１００は、陳列室の下方に設けられた基台１０１と、陳列室の後方側に設けられた後壁１０２と、後壁１０２から前方に延びる２段の陳列棚１０３と、を備えたオープン型のショーケースである。
【０００５】
基台１０１の前方には、陳列室から基台１０１の内部に空気を吸引する吸引口１０４が設けられている。そして、基台１０１の内部から後壁１０２の後方の領域を介して天板１０５と上部照明取付板１０６との間の空間までが、冷気供給ダクト１０７を形成している。基台１０１の内部にファン１０８が収容されており、後壁１０２の後方に冷却器１０９が設置されており、天板１０５と上部照明取付板１０６との間の空間の前方端に、ハニカムと呼ばれる整流機構１１０が設置されている。整流機構１１０から吹き出される冷気は、エアカーテンとなって、外気がショーケース１００内に混入することを効果的に抑制し、その多くが再び吸引口１０４から基台１０１内に取り込まれる。このようにして、冷気が循環するようになっている。
【０００６】
ここで、天板１０５は、断熱効果を高めるべく、主として断熱材からなり、上面のみがステンレス材で構成されている。また、図１８に示すショーケースでは、天板１０５と上部照明取付板１０６との間の空間が冷気供給ダクト１０７の一部を構成している。このため、上段の陳列棚１０３上に陳列された商品が見にくいという問題がある。また、陳列棚１０３に陳列する商品の大きさに柔軟に対応できるショーケースが求められている。
【０００７】
本発明は、このような点を考慮してなされたものであり、陳列する商品の大きさに柔軟に対応することができるとともに、陳列棚に陳列された商品を見やすくすることができるオープン型のショーケースを提供する。
【課題を解決するための手段】
【０００８】
本発明は、
商品が陳列される陳列室に冷気を供給するように構成されたオープン型のショーケースであって、
前記陳列室の下方に設けられ、陳列室底板を有する基台と、
前記陳列室の後方に設けられた後壁と、
前方から見たときに前記後壁の両側に設けられた棚取付用後壁と、
前記後壁から前方に延びるとともに前記棚取付用後壁に着脱可能に取り付けられた陳列棚と、
前記陳列室に前記冷気を供給する冷気供給部と、を備え、
前記陳列棚は、前記冷気供給部から供給された前記冷気を前記陳列室に放出する棚冷気放出部を有し、
前記棚取付用後壁は、互いに異なる高さ位置に前記陳列棚を取り付け可能な複数の棚取付部を有し、
前記後壁は、前記棚取付部に対応して設けられた複数の後壁開口部を有し、
前記後壁開口部の各々に、当該後壁開口部を開閉可能な開閉部材が設けられ、
前記開閉部材は、付勢部材によって対応する前記後壁開口部を閉塞する方向に付勢され、
前記陳列棚は、前記棚取付部に取り付けられた場合に、対応する前記開閉部材を押圧して前記後壁開口部を開放する押圧部を更に有し、
前記後壁開口部が開放された場合、前記冷気供給部からの前記冷気が、前記陳列棚の前記棚冷気放出部に供給される、オープン型のショーケース、
を提供する。
【０００９】
上述したオープン型のショーケースにおいて、前記開閉部材は、ヒンジ部を介して、前記後壁に揺動可能に取り付けられ、前記ヒンジ部は、前記開閉部材を、対応する前記後壁開口部を閉塞する方向に付勢する前記付勢部材として構成されている、ようにしてもよい。
【００１０】
上述したオープン型のショーケースにおいて、前記開閉部材は、前記押圧部が当接する被当接面を含み、前記押圧部は、前記開閉部材が対応する前記後壁開口部を開放している場合に前記被当接面に平行になる当接面を含んでいる、ようにしてもよい。
【００１１】
上述したオープン型のショーケースにおいて、前記陳列棚内に、前記後壁開口部を介して供給される前記冷気を前記棚冷気放出部に供給する棚ダクトが設けられている、ようにしてもよい。
【００１２】
上述したオープン型のショーケースにおいて、前記後壁の後方に、前記冷気供給部と複数の前記後壁開口部とを連通した後壁ダクトが設けられ、前記開閉部材の各々は、前記後壁ダクト内に配置されている、ようにしてもよい。
【００１３】
上述したオープン型のショーケースにおいて、複数の前記開閉部材のうち他の前記開閉部材よりも下方に配置された前記開閉部材は、対応する前記棚取付部に前記陳列棚が取り付けられた場合に、当該他の開閉部材に対応する前記後壁開口部への前記冷気の供給を遮断する、ようにしてもよい。
【発明の効果】
【００１４】
本発明によれば、陳列する商品の大きさに柔軟に対応することができるとともに、陳列棚に陳列された商品を見やすくすることができる。
【図面の簡単な説明】
【００１５】
【図１】図１は、本実施の形態におけるオープン型のショーケースの全体構成を示す前面図である。
【図２】図２は、図１のオープン型のショーケースを示す側面断面図である。
【図３】図３は、図２とは異なる位置に陳列棚が取り付けられたオープン型のショーケースを示す側面断面図である。
【図４】図４は、図１乃至図３に示す後壁を前方から見た図である。
【図５】図５は、図１乃至図３に示す陳列棚の取り付け方法を説明するための斜視図である。
【図６】図６は、図５に示す陳列棚の取付構造の詳細を示す図である。
【図７】図７は、図２に示すオープン型のショーケースの天井部を示す部分拡大断面図である。
【図８】図８は、図２に示す後壁ダクトの詳細を示す断面図である。
【図９Ａ】図９Ａは、図８に示す後壁の支持構造の詳細を示す図である。
【図９Ｂ】図９Ｂは、図９Ａに示す後壁の支持構造の上面図である。
【図１０】図１０は、図８に示すダクト区画板の支持構造の詳細を示す図である。
【図１１Ａ】図１１Ａは、図８に示すダクト区画板の係止構造の詳細を示す図である。
【図１１Ｂ】図１１Ｂは、図１１Ａに示す区画板の係止構造の上面図である。
【図１２】図１２は、図２に示す開閉部材を示す部分拡大断面図である。
【図１３】図１３は、図８に示す後壁ダクトの分解方法を説明するための図であって、後壁を取り外す工程を示す図である。
【図１４】図１４は、図８に示す後壁ダクトの分解方法を説明するための図であって、第３ダクト区画板を取り外す工程を示す図である。
【図１５】図１５は、図８に示す後壁ダクトの分解方法を説明するための図であって、第２ダクト区画板を取り外す工程を示す図である。
【図１６】図１６は、図８に示す後壁ダクトの分解方法を説明するための図であって、第１ダクト区画板を取り外す工程を示す図である。
【図１７】図１７は、図８に示す後壁ダクトの分解方法を説明するための図であって、後壁ダクトの分解が完了した状態を示す図である。
【図１８】図１８は、従来のオープン型のショーケースを示す側面断面図である。
【発明を実施するための形態】
【００１６】
以下、図面を参照して本発明の一の実施の形態について説明する。なお、本明細書に添付する図面においては、図示と理解のしやすさの便宜上、適宜縮尺および縦横の寸法比等を、実物のそれらから変更し誇張してある。
【００１７】
本実施の形態におけるオープン型のショーケース１は、商品が陳列される陳列室２に冷気を供給するように構成されている。図１および図２に示すように、オープン型のショーケース１（以下、単にショーケース１と記す）は、陳列室２の下方に設けられた基台３と、陳列室２の後方に設けられ、基台３から起立した後壁４と、陳列室２の上方に設けられた天井部５と、陳列室２の前方から見た場合の左右方向両側に設けられた一対の側壁６と、を備えている。このうち基台３は、陳列室底板７を有している。これらの基台３、後壁４、天井部５および一対の側壁６によって、陳列室２が画定されている。
【００１８】
図２に示すように、基台３は、陳列室２から基台３の内部に空気を吸引する吸引口８を有している。基台３の内部には、吸引口８によって吸引された空気を冷却して陳列室２に冷気を供給する冷気供給部９が設けられている。この冷気供給部９は、ファン１０と冷却器１１とを有しており、ファン１０によって吸引口８から吸引された空気が冷却器１１に送られ、冷却器１１によって空気が冷却されて冷気となる。冷気は、冷却器１１から後述するダクト等を介して陳列室２に供給され、冷気（空気）が循環するようになっている。
【００１９】
陳列室２には、複数の陳列棚２０が設けられている。複数の陳列棚２０は、互いに異なる高さ位置に配置されている。各陳列棚２０は、棚取付用後壁１２（図４参照）に取り付けられていて、後壁４および棚取付用後壁１２から前方に延びている。棚取付用後壁１２は、前方から見たときに後壁４の両側に設けられており、後壁４と一対の側壁６との間に配置されている。後壁４と棚取付用後壁１２とは、これらの間に隙間が形成されないように互いに接触していてもよく、あるいは、これらの間に微小な隙間が形成されていてもよい。
【００２０】
本実施の形態では、陳列棚２０は、棚取付用後壁１２に着脱可能に取り付けられている。より具体的には、図４に示すように、棚取付用後壁１２に、陳列棚２０を取付可能な複数の棚取付部３０Ａ〜３０Ｅが設けられている。複数の棚取付部３０Ａ〜３０Ｅは、互いに異なる高さ位置に配置されている。本実施の形態では、異なる高さ位置に５つの棚取付部３０Ａ〜３０Ｅが設けられており、上から順に、棚取付部３０Ａ、棚取付部３０Ｂ、棚取付部３０Ｃ、棚取付部３０Ｄおよび棚取付部３０Ｅが設けられている。図２に示す形態では、このうちの３つの棚取付部（より詳細には、最上位の棚取付部３０Ａと、真ん中の棚取付部３０Ｃと、最下位の棚取付部３０Ｅ）に、陳列棚２０がそれぞれ取り付けられている。別の形態として、図３に示す形態では、５つの棚取付部３０Ａ〜３０Ｅのうちの２つの棚取付部（より詳細には、２番目に高い位置の棚取付部３０Ｂと、２番目に低い位置の棚取付部３０Ｄ）に、陳列棚２０がそれぞれ取り付けられている。このように、陳列棚２０が棚取付用後壁１２に対して着脱可能であることにより、陳列棚２０の取り付け高さを変えて陳列棚２０上の陳列スペースを変えることができ、陳列棚２０に陳列する商品の大きさに柔軟に対応可能なショーケース１を得ることができる。なお、棚取付用後壁１２に設けられる棚取付部の個数は、５つであることに限られることはなく、任意である。
【００２１】
陳列棚２０を着脱可能に取り付ける構成について、図４乃至図６を用いてより詳細に説明する。各棚取付部３０Ａ〜３０Ｅは、４つの棚取付孔３０ａを含んでいる。棚取付孔３０ａは、互いに異なる高さ位置に２箇所形成されるとともに、前方から見たときに、対応する陳列棚２０の両側に形成されている。
【００２２】
一方、図５に示すように、陳列棚２０は、棚本体２１と、棚本体２１の後部に設けられた４つの棚被取付部２２と、を有している。４つの棚被取付部２２は、４つの棚取付孔３０ａのいずれかに対応する位置に配置されている。図５では、図面を明瞭にするために、片側の２つの棚被取付部２２が示されている。また、図５では、代表的に、棚取付部３０Ｅに陳列棚２０を取り付ける例を示している（後述する図６も同様）。
【００２３】
図６に示すように、棚被取付部２２は、棚本体２１から後方に突出する棚突出部２２ａと、棚突出部２２ａに設けられた棚スリット部２２ｂと、を含んでいる。このうち棚突出部２２ａは、対応する棚取付孔３０ａに挿入可能になっている。棚スリット部２２ｂは、上下方向に延びて下方に開口している。一方、棚取付部３０Ｅは、棚取付孔３０ａの下方に設けられた、棚スリット部２２ｂに挿入される棚支持部３０ｂを含んでいる。この棚支持部３０ｂが、棚スリット部２２ｂに挿入されて棚突出部２２ａに当接することで、陳列棚２０が棚取付用後壁１２に取り付けられて支持される。この際、陳列棚２０の前後方向移動は、棚スリット部２２ｂに挿入された棚支持部３０ｂによって規制され、陳列棚２０が前後方向に移動することを抑制している。また、陳列棚２０の側方移動（前方から見た場合の左右方向移動）は、棚取付孔３０ａによって規制され、陳列棚２０が側方に移動することを抑制している。ここで、規制とは、所定の方向へ全く移動させないことを意味することに限られることはなく、ある程度の移動は許容しながらも実質的には移動させないことを含むものとして用いている。このようにして、陳列棚２０は、ビスやボルトなどの締結部材を用いることなく、棚取付用後壁１２に着脱可能に取り付けられている。
【００２４】
図２に示すように、陳列棚２０は、棚本体２１に設けられた、冷気供給部９から供給された冷気を陳列室２に放出する棚冷気放出部２３と、棚本体２１の内部に設けられた棚ダクト２４と、を更に有している。このうち棚ダクト２４は、棚取付用後壁１２に設けられた対応する後壁開口部（３１Ａ〜３１Ｅのいずれか、後述）を介して供給される冷気を、棚冷気放出部２３に供給する。このようにして、後壁開口部を通過した冷気が、棚ダクト２４を通過して棚冷気放出部２３にスムースに達し、陳列室２に放出される。棚ダクト２４を通過する冷気は、前方に向かって流れるが、棚冷気放出部２３において、斜め下方に流れの向きを変え、当該陳列棚２０の下方の空間に向かって斜め下方に放出される。
【００２５】
棚冷気放出部２３よりも前方には、棚照明装置２５が設けられている。棚照明装置２５は、当該陳列棚２０の下方に配置された商品を照明するためのものである。この棚照明装置２５の前方には、カード差し部２６が設けられている。棚照明装置２５およびカード差し部２６は、棚本体２１に取り付けられている。カード差し部２６は、商品の値札などが挿入可能に構成されている。
【００２６】
図５に示すように、陳列棚２０は、棚取付部（３０Ａ〜３０Ｅのいずれか）に取り付けられた場合に、当該棚取付部に対応する開閉部材（後述）を押圧して、対応する後壁開口部（後述）を開放する押圧部２７を有している。押圧部２７についての詳細は、後述する。
【００２７】
図４に示すように、後壁４には、上述した５つの棚取付部３０Ａ〜３０Ｅに対応して設けられた複数の後壁開口部３１Ａ〜３１Ｅが設けられている。各後壁開口部３１Ａ〜３１Ｅは、冷気供給部９から陳列棚２０の棚冷気放出部２３に向かう冷気が通過可能に構成されている。複数の後壁開口部３１Ａ〜３１Ｅは、互いに異なる高さ位置に配置されており、より具体的には、各後壁開口部３１Ａ〜３１Ｅは、対応する棚取付部３０Ａ〜３０Ｅと同様の高さ位置に配置されている。すなわち、棚取付部３０Ａと同様の高さ位置に後壁開口部３１Ａが設けられ、棚取付部３０Ｂと同様の高さ位置に後壁開口部３１Ｂが設けられている。棚取付部３０Ｃと同様の高さ位置に後壁開口部３１Ｃが設けられ、棚取付部３０Ｄと同様の高さ位置に後壁開口部３１Ｄが設けられ、棚取付部３０Ｅと同様の高さ位置に後壁開口部３１Ｅが設けられている。各後壁開口部３１Ａ〜３１Ｅは、対応する棚取付部３０Ａ〜３０Ｅに陳列棚２０が取り付けられた場合に、当該陳列棚２０の棚ダクト２４に連通するようになっている。
【００２８】
後壁開口部３１Ａ〜３１Ｅは、対応する棚取付部３０Ａ〜３０Ｅに陳列棚２０が取り付けられた場合に、冷気供給部９から当該陳列棚２０の棚冷気放出部２３に向かう冷気が通過可能になっている。この場合、冷気供給部９からの冷気が、後壁開口部３１Ａ〜３１Ｅおよび棚ダクト２４を通過して棚冷気放出部２３に流れる。本実施の形態においては、後壁開口部３１Ａ〜３１Ｅに開閉部材７０Ａ〜７０Ｅ（図２参照、後述）が設けられており、この開閉部材７０Ａ〜７０Ｅが、対応する後壁開口部３１Ａ〜３１Ｅを開閉可能に構成されている。陳列棚２０が対応する棚取付部（３０Ａ〜３０Ｅのいずれか）に取り付けられた場合に、当該棚取付部に対応する後壁開口部（３１Ａ〜３１Ｅのいずれか）が開放される。この場合、冷気供給部９からの冷気が、当該後壁開口部および棚ダクト２４を介して、陳列棚２０の棚冷気放出部２３に供給される。
【００２９】
図７に示すように、後壁４よりも上方に天井側後壁１３が設けられている。この天井側後壁１３は、後壁４と天井部５との間に配置されている。天井側後壁１３は、最上位の陳列棚２０（天井部５に対向する陳列棚２０）よりも上方に設けられた、第１後壁冷気放出部３２と、第１後壁冷気放出部３２よりも下方に設けられた第２後壁冷気放出部３３と、を有している。第１後壁冷気放出部３２および第２後壁冷気放出部３３は、冷気供給部９から供給された冷気を、陳列室２（より詳細には、天井部５と最上位の陳列棚２０との間の空間）に放出する。第１後壁冷気放出部３２および第２後壁冷気放出部３３は、天井部５と最上位の陳列棚２０との間の高さ位置に配置され、第２後壁冷気放出部３３は、第１後壁冷気放出部３２よりも下方に配置されている。第２後壁冷気放出部３３は、後壁４と天井側後壁１３との間に形成されている。
【００３０】
図７に示すように、天井部５は、天板４０と、天板４０よりも下方に設けられた天井ダクト４１と、最上位の陳列棚２０を照明する第１天井照明装置４２と、冷気供給部９から供給された冷気を陳列室２に放出する天井冷気放出部４３と、を有している。このうち第１天井照明装置４２は、天井ダクト４１よりも下方に配置されている。天井冷気放出部４３は、第１天井照明装置４２よりも前方に配置されている。また、天井冷気放出部４３は、天井ダクト４１に連通し、天井ダクト４１を通過した冷気を放出するように構成されている。
【００３１】
天板４０は、透明性を有する部分を含んでいる。すなわち、天板４０は、天井冷気放出部４３よりも上方に設けられており、天板４０のうち、少なくとも天井冷気放出部４３よりも前方の部分は、透明性を有しており、消費者が最上位の陳列棚２０に陳列された商品を天板４０越しに視認可能になっている。天板４０には、第２天井照明装置４４が設けられている。第２天井照明装置４４は、天井冷気放出部４３よりも前方に配置されており、最上位の陳列棚２０の前端部を照明可能になっている。また、第２天井照明装置４４は、天井冷気放出部４３とは離間している。このことにより、最上位の陳列棚２０に陳列された商品を、天井冷気放出部４３と第２天井照明装置４４との間の領域から視認可能になっている。
【００３２】
天井ダクト４１は、後述する第２上部ダクト６８と天井冷気放出部４３とを連通している。このようにして、後述する第１後壁ダクト６０および第２上部ダクト６８を通過した冷気が、天井ダクト４１を通過して天井冷気放出部４３にスムースに達し、陳列室２に放出される。天井ダクト４１を通過する冷気は、前方に向かって流れるが、天井冷気放出部４３において、斜め下方に流れの向きを変え、天井部５と、最上位の陳列棚２０との間の空間に向かって斜め下方に放出される。より好適には、天井冷気放出部４３は、最上位の陳列棚２０の前端部に向かって冷気を放出する。このことにより、天井冷気放出部４３から放出される冷気の流れを、天井部５と最上位の陳列棚２０との間の空間に対するエアカーテンとして機能させることができる。当該冷気の流れは、吸引口８に向かって流れるため、天井部５と最上位の陳列棚２０との空間だけでなく、陳列室２全体のエアカーテンとしても機能することができる。
【００３３】
図２に示すように、後壁４の後方に、冷気供給部９と後壁開口部３１Ａ〜３１Ｅとを連通した複数の後壁ダクト６０〜６３が設けられている。より具体的には、後壁４の後方に、基台３から起立したフレーム５０が設けられている。後壁４とフレーム５０との間に複数の後壁ダクト６０〜６３が形成されている。各後壁ダクト６０〜６３は、冷気供給部９から陳列室２に向かう冷気が通過するように構成されている。
【００３４】
本実施の形態においては、図８に示すように、後壁４は、フレーム５０に着脱可能に取り付けられている。フレーム５０は、後壁４を下方から支持する後壁支持部５１を有している。後壁４は、後壁支持部５１に支持された状態（組立状態）においては、後壁支持部５１に対して上方に移動可能になっているが、後壁４の前後方向移動が後壁支持部５１によって規制されている。前方から見た場合の左右方向両側に、一対の後壁支持部５１が設けられていることが好適であるが、これに限られることはなく、左右方向に異なる位置に３つ以上の後壁支持部５１が設けられていてもよい。
【００３５】
より具体的には、図９Ａに示すように（図１７にも示す）、後壁支持部５１は、後壁支持部本体５１ａと、後壁支持部本体５１ａから前方に突出する後壁支持突出部５１ｂと、後壁支持突出部５１ｂに設けられた後壁支持スリット部５１ｃと、を含んでいる。このうち、後壁支持突出部５１ｂは、後壁４の後壁取付孔３６に挿入可能になっている。後壁支持スリット部５１ｃは、上下方向に延びて上方に開口している。一方、後壁４は、上述した棚取付部３０Ａ〜３０Ｅおよび後壁開口部３１Ａ〜３１Ｅが設けられた後壁本体３４（図４および図８参照）と、後壁本体３４よりも後方に設けられた後壁被支持部３５と、を含んでいる。後壁被支持部３５は、後壁取付孔３６の上方に設けられており、後壁支持スリット部５１ｃに挿入される。この後壁被支持部３５が、後壁支持スリット部５１ｃに挿入されて後壁支持突出部５１ｂに当接することで、後壁４が後壁支持部５１に支持される。この際、後壁４の前後方向移動は、後壁支持スリット部５１ｃに挿入された後壁被支持部３５によって規制される。なお、本実施の形態では、後壁支持突出部５１ｂは、異なる高さ位置に４つ設けられている。そして、後壁４が、上下方向に２つに分割されており、上側の２つの後壁支持突出部５１ｂによって上側の後壁４が支持され、下側の２つの後壁支持突出部５１ｂによって下側の後壁４が支持されている。
【００３６】
また、後壁４は、図９Ｂに示すように、後壁本体３４と後壁被支持部３５との間に設けられた一対の後壁側面部３７を有している。一対の後壁側面部３７は、前方から見た場合の左右方向両側に設けられている。前方から見た場合の左側の後壁側面部３７が、左側の後壁支持部５１の後壁支持突出部５１ｂの左側面よりも左側に配置されて、当該左側面に当接または近接している。右側の後壁側面部３７が、右側の後壁支持部５１の後壁支持突出部５１ｂの右側面よりも右側に配置されて、当該右側面に当接または近接している。このことにより、後壁４の側方移動を規制している。
【００３７】
図８に示すように、複数の後壁ダクト６０〜６３は、最も後方に設けられた第１後壁ダクト６０と、第１後壁ダクト６０よりも前方に設けられた第２後壁ダクト６１と、第２後壁ダクト６１よりも前方に設けられた第３後壁ダクト６２と、第３後壁ダクト６２よりも前方に設けられた第３後壁ダクト６２と、を含んでいる。第１後壁ダクト６０は、冷気供給部９と、天井冷気放出部４３、第１後壁冷気放出部３２および第２後壁冷気放出部３３とを連通している。第２後壁ダクト６１は、冷気供給部９と、後壁開口部３１Ａおよび後壁開口部３１Ｂとを連通している。第３後壁ダクト６２は、冷気供給部９と、後壁開口部３１Ｃとを連通し、第４後壁ダクト６３は、冷気供給部９と、後壁開口部３１Ｄおよび後壁開口部３１Ｅとを連通している。このように、複数の後壁ダクト６０〜６３を用いることにより、各部への冷気の供給量を確保している。
【００３８】
第１後壁ダクト６０と第２後壁ダクト６１とは、第１ダクト区画板６４によって区画されている。第２後壁ダクト６１と第３後壁ダクト６２とは、第２ダクト区画板６５によって区画され、第３後壁ダクト６２と第４後壁ダクト６３とは、第３ダクト区画板６６によって区画されている。
【００３９】
第１ダクト区画板６４は、フレーム５０に着脱可能に取り付けられている。
【００４０】
すなわち、フレーム５０は、第１ダクト区画板６４を下方から支持する区画板支持部５２を有している。区画板支持部５２は、フレーム５０の下端部に設けられている。第１ダクト区画板６４は、区画板支持部５２に支持された状態（組立状態）においては、区画板支持部５２に対して上方に移動可能になっている。前方から見た場合の左右方向両側に、一対の区画板支持部５２が設けられていることが好適である。
【００４１】
より具体的には、図１０に示すように、区画板支持部５２は、区画板支持部本体５３と、区画板支持部本体５３にＶ字状に形成された第１区画板支持溝５４と、を含んでいる。第１区画板支持溝５４は、上下方向に延びて上方に開口しており、下方に向かって先細状に形成されている。すなわち、第１区画板支持溝５４は、側方から見た場合において（図８のように見た場合）、後方に形成された第１溝画定線５４ａと、第１溝画定線５４ａよりも前方に形成された第２溝画定線５４ｂと、を含んでいる。このようにして形成された第１区画板支持溝５４に、第１ダクト区画板６４の下端部が挿入されて、第１ダクト区画板６４の下端が区画板支持部本体５３に当接し、第１ダクト区画板６４が区画板支持部５２に支持される。本実施の形態では、第１溝画定線５４ａは、上下方向に延び、第２溝画定線５４ｂは、第１溝画定線５４ａに対して前方に傾斜している。このことにより、第１ダクト区画板６４を第１区画板支持溝５４から取り出す場合に、第１ダクト区画板６４の上端を前方に傾斜させるようにして取り出すことができ、第１ダクト区画板６４の取り出し作業性を向上させることができる。また、第１ダクト区画板６４を第１区画板支持溝５４に挿入する場合には、第１ダクト区画板６４を同様に傾斜させることができ、第１ダクト区画板６４の挿入作業性を向上させることができる。
【００４２】
また、図８に示すように、フレーム５０は、第１ダクト区画板６４の前後方向移動を規制する区画板係止部５７を有している。
【００４３】
より具体的には、図１１Ａに示すように、第１ダクト区画板６４は、区画板本体６４ａと、区画板本体６４ａから後方に突出する区画板被係止部６４ｂと、区画板被係止部６４ｂに設けられた区画板スリット部６４ｃと、を含んでいる。このうち、区画板被係止部６４ｂは、第１ダクト区画板６４の上端部に設けられている。区画板スリット部６４ｃは、上下方向に延びて下方に開口している。一方、フレーム５０の区画板係止部５７は、区画板スリット部６４ｃに挿入可能に構成されている。このことにより、区画板係止部５７が区画板スリット部６４ｃに挿入されて区画板被係止部６４ｂを係止し、第１ダクト区画板６４（とりわけ第１ダクト区画板６４の上端部）の前後方向移動が、区画板スリット部６４ｃに挿入された区画板係止部５７によって規制され、第１ダクト区画板６４が前後方向に移動することを抑制している。
【００４４】
また、図１１Ｂに示すように、区画板係止部５７の左右方向両側の端部から後方に係止側面部５８が延びている。すなわち、区画板係止部５７とフレーム５０のフレーム本体５０ａとの間に一対の係止側面部５８が形成されており、上方から見た場合に区画板被係止部６４ｂが挿入可能な係止開口部５９が形成されている。前方から見た場合の左側の区画板被係止部６４ｂが、係止開口部５９内の左端に配置される。すなわち、左側の区画板被係止部６４ｂが、左側の係止側面部５８の右側面よりも右側に配置されて、当該右側面に当接または近接している。右側の区画板被係止部６４ｂが、係止開口部５９内の右端に配置される。すなわち、右側の区画板被係止部６４ｂが、右側の係止側面部５８の左側面よりも左側に配置されて、当該左側面に当接または近接している。このことにより、第１ダクト区画板６４の側方移動は、この係止開口部５９によって規制され、第１ダクト区画板６４が側方に移動することを抑制している。係止開口部５９は、冷気供給部９から供給された冷気が通過可能になっている。
【００４５】
図８に示すように、第２ダクト区画板６５は、第１ダクト区画板６４に着脱可能に取り付けられている。
【００４６】
すなわち、第２ダクト区画板６５は、上述した第１ダクト区画板６４と同様に、上述した区画板支持部５２によって下方から支持されている。第２ダクト区画板６５は、区画板支持部５２に支持された状態（組立状態）においては、区画板支持部５２に対して上方に移動可能になっている。
【００４７】
図１０に示すように、区画板支持部５２には、第２ダクト区画板６５が挿入される第２区画板支持溝５５が形成されている。この第２区画板支持溝５５は、第１区画板支持溝５４と同様の形状を有していてもよいが、第１区画板支持溝５４よりも溝深さが浅い方が好ましい。この場合、第２ダクト区画板６５の下端を、第１ダクト区画板６４の下端よりも高い位置に配置させることができ、第２ダクト区画板６５によって区画されている第２後壁ダクト６１への冷気の流量と第３後壁ダクト６２への冷気の流量とのバランスを確保することができる。
【００４８】
また、図８に示すように、第２ダクト区画板６５は、第１ダクト区画板６４によって、前後方向移動および側方移動を規制されるように構成されている。すなわち、第２ダクト区画板６５は、上述した区画板被係止部６４ｂと同様な区画板被係止部６５ａを含み、第１ダクト区画板６４は、上述した区画板係止部５７と同様な区画板係止部６４ｄを含んでおり、第１ダクト区画板６４が第２ダクト区画板６５の前後方向移動および側方移動を規制し、第２ダクト区画板６５の前後方向移動および側方移動を抑制している。ここでは、詳細な説明は省略する。
【００４９】
第３ダクト区画板６６は、第２ダクト区画板６５に着脱可能に取り付けられている。
【００５０】
すなわち、第３ダクト区画板６６は、上述した第１ダクト区画板６４と同様に、上述した区画板支持部５２によって下方から支持されている。第３ダクト区画板６６は、区画板支持部５２に支持された状態（組立状態）においては、区画板支持部５２に対して上方に移動可能になっている。
【００５１】
図１０に示すように、区画板支持部５２には、第３ダクト区画板６６が挿入される第３区画板支持溝５６が形成されている。この第３区画板支持溝５６は、第２区画板支持溝５５と同様の形状を有していてもよいが、第２区画板支持溝５５よりも溝深さが浅い方が好ましい。この場合、第３ダクト区画板６６の下端を、第２ダクト区画板６５の下端よりも高い位置に配置させることができ、第３ダクト区画板６６によって区画されている第３後壁ダクト６２への冷気の流量と第４後壁ダクト６３への冷気の流量とのバランスを確保することができる。
【００５２】
なお、第３ダクト区画板６６の下端に、冷気供給部９の側（冷気の上流側、図１０における左側））に延びる延長部６６ａが設けられていてもよい。この延長部６６ａは、前方から見たときの左右方向において区画板支持部５２に干渉しない位置で、第３ダクト区画板６６の下端を折り曲げるようにして形成することができる。この延長部６６ａによって、第３後壁ダクト６２への冷気の流量と第４後壁ダクト６３への冷気の流量とのバランスをより一層向上させることが可能になる。
【００５３】
また、図８に示すように、第３ダクト区画板６６は、第２ダクト区画板６５によって、前後方向移動および側方移動を規制されるように構成されている。すなわち、第３ダクト区画板６６は、上述した区画板被係止部６４ｂと同様な区画板被係止部６６ｂを含み、第２ダクト区画板６５は、上述した区画板係止部５７と同様な区画板係止部６５ｂを含んでおり、第２ダクト区画板６５が第３ダクト区画板６６の前後方向移動および側方移動を規制し、第３ダクト区画板６６の前後方向移動および側方移動を抑制している。ここでは、詳細な説明は省略する。
【００５４】
上述した後壁４、第１ダクト区画板６４、第２ダクト区画板６５および第３ダクト区画板６６は、上述のようにしてフレーム５０に取付可能に構成されている。このため、後壁４およびダクト区画板６４〜６６は、ビスやボルトなどの締結部材を用いることなく、フレーム５０に着脱可能に取り付けられている。このため、後壁４およびダクト区画板６４〜６６をフレーム５０から取り外す場合に、締結部材が、フレーム５０内で落下する可能性を排除することができる。
【００５５】
ところで、上述した後壁開口部３１Ａ〜３１Ｅの各々に、図２に示すように、後壁開口部３１Ａ〜３１Ｅを開閉可能な開閉部材７０Ａ〜７０Ｅが設けられている。図１２に示すように、開閉部材７０Ａ〜７０Ｅは、ヒンジ部７１（付勢部材）を介して後壁４に揺動可能に取り付けられており、閉塞位置と開放位置との間で揺動する。図１２では、代表的に、後壁開口部３１Ｄおよび３１Ｅに設けられた開閉部材７０Ｄおよび７０Ｅを示している。図１２において示す上側の開閉部材７０Ｄは、閉塞位置に位置づけられており、下側の開閉部材７０Ｅは、開放位置に位置づけられている。本実施の形態によるヒンジ部７１は、スプリング機能を有したスプリング蝶番であり、開閉部材７０Ａ〜７０Ｅを、対応する後壁開口部３１Ａ〜３１Ｅを閉塞する方向に付勢している。このようにして、開閉部材７０Ａ〜７０Ｅは、ヒンジ部７１によって対応する後壁開口部３１Ａ〜３１Ｅを閉塞する方向に付勢されている。
【００５６】
図２に示すように、各開閉部材７０Ａ〜７０Ｅは、後壁ダクト６０〜６３内に配置されている。より具体的には、後壁開口部３１Ａを閉塞する開閉部材７０Ａと、後壁開口部３１Ｂを閉塞する開閉部材７０Ｂは、上述した第２後壁ダクト６１内に配置されている。後壁開口部３１Ｃを閉塞する開閉部材７０Ｃは、上述した第３後壁ダクト６２内に配置されている。後壁開口部３１Ｄを閉塞する開閉部材７０Ｄと、後壁開口部３１Ｅを閉塞する開閉部材７０Ｅは、上述した第４後壁ダクト６３内に配置されている。開閉部材７０Ａ〜７０Ｅが後壁ダクト６０〜６３内に配置されることにより、開閉部材７０Ａ〜７０Ｅが陳列室２内に配置されることを回避でき、陳列スペースを確保することができるとともに、意匠性を確保することができる。
【００５７】
開閉部材７０Ａ〜７０Ｅの詳細について、第４後壁ダクト６３内に配置された開閉部材７０Ｄ、７０Ｅを例にとって図１２を用いて説明する。
【００５８】
開閉部材７０Ｄ、７０Ｅは、陳列棚２０によって、閉塞位置と開放位置との間で揺動するように構成されている。すなわち、開閉部材７０Ｄ、７０Ｅは、対応する棚取付部３０Ｄ、３０Ｅに陳列棚２０が取り付けられた場合に、当該陳列棚２０の押圧部２７によって押圧されて、開放位置に位置づけられ、対応する後壁開口部３１Ｄ、３１Ｅが開放される。
【００５９】
より具体的には、開閉部材７０Ｄ、７０Ｅは、押圧部２７が当接する被当接面７０ａを含んでおり、陳列棚２０の押圧部２７は、開閉部材７０Ｄ、７０Ｅの被当接面７０ａに当接する当接面２７ａを含んでいる。押圧部２７の当接面２７ａは、開閉部材７０Ｄ、７０Ｅが対応する後壁開口部３１Ｄ、３１Ｅを開放している場合（開放位置に位置づけられている場合）、開閉部材７０Ｄ、７０Ｅの被当接面７０ａに平行になっている。このことにより、開閉部材７０Ｄ、７０Ｅが開放位置に位置づけられている場合に、押圧部２７の当接面２７ａを安定的に開閉部材７０Ｄ、７０Ｅの被当接面７０ａに当接させることができる。なお、本実施の形態では、押圧部２７が板金部品として製作されているため、当接面２７ａは、押圧部２７を構成する板部材の端面（開閉部材７０Ｄ、７０Ｅの側の端面）に相当している。
【００６０】
また、第４後壁ダクト６３内に配置された複数の開閉部材７０Ｄ、７０Ｅのうち開閉部材７０Ｄよりも下方に配置された開閉部材７０Ｅは、対応する棚取付部３０Ｅに陳列棚２０が取り付けられた場合に、開閉部材７０Ｄに対応する後壁開口部３１Ｄへの冷気の供給を遮断する。すなわち、開閉部材７０Ｅは、開放位置に位置づけられた場合に、後壁開口部３１Ｄへの冷気の供給を遮断する。この場合、開閉部材７０Ｅは、後壁開口部３１Ｄへの冷気の流路を遮断可能なように、開閉部材７０Ｅの先端が、第３ダクト区画板６６に当接するようにしてもよい。この場合、当該先端と第３ダクト区画板６６との間に微少な隙間が形成されるようにしてもよい。ここで、遮断とは、冷気の流路を完全に塞ぐことを意味することに限られることはなく、冷気の流路を実質的に塞ぐことを含むものとして用いている。なお、本実施の形態では、第４ダクト内に開閉部材７０Ｄよりも上方に配置された開閉部材は設けられていないが、開閉部材７０Ｄは開閉部材７０Ｅと同様の形状を有しており、部品の共通化を図っている。
【００６１】
一方、開閉部材７０Ｄ、７０Ｅは、対応する棚取付部３０Ｄ、３０Ｅに陳列棚２０が取り付けられていない場合には、ヒンジ部７１の付勢力によって、閉塞位置に位置づけられて、対応する後壁開口部３１Ｄ、３１Ｅが閉じる。例えば、第４後壁ダクト６３内に配置された開閉部材７０Ｅは、対応する棚取付部３０Ｅに陳列棚２０が取り付けられていない場合には、閉塞位置に位置づけられて、対応する後壁開口部３１Ｅが閉じる。
【００６２】
図７に示すように、天井側後壁１３の後方には、第１上部ダクト６７および第２上部ダクト６８が設けられている。第１上部ダクト６７および第２上部ダクト６８は、第１後壁ダクト６０よりも上方に設けられている。このうち第１上部ダクト６７は、冷気供給部９と、第１後壁冷気放出部３２および第２後壁冷気放出部３３とを連通している。第２上部ダクト６８は、冷気供給部９と、天井冷気放出部４３とを連通している。このようにして、第１後壁冷気放出部３２、第２後壁冷気放出部３３および天井冷気放出部４３に供給される冷気を整流し、天井冷気放出部４３への冷気の供給量を確保している。
【００６３】
第１上部ダクト６７は、上部区画板６７ａを介して区画された第１ダクト部分６７ｂおよび第２ダクト部分６７ｃを有している。これら２つのダクト部分６７ｂ、６７ｃは、第１後壁冷気放出部３２の側において上下方向に互いに区画されており、第１ダクト部分６７ｂが第２ダクト部分６７ｃよりも上方に配置されている。第１ダクト部分６７ｂおよび第２ダクト部分６７ｃはいずれも第１後壁冷気放出部３２に連通しており、２つのダクト部分６７ｂ、６７ｃを通過した冷気が、第１後壁冷気放出部３２から陳列室２（より詳細には、天井部５と最上位の陳列棚２０との間の空間）に放出されるようになっている。この場合、第１後壁冷気放出部３２から放出される冷気が、２つのダクト部分６７ｂ、６７ｃによって整流され、天井部５と最上位の陳列棚２０との間の空間に向かって斜め下方に放出される。
【００６４】
本実施の形態では、第１上部ダクト６７は、第３ダクト部分６７ｄを更に有している。第３ダクト部分６７ｄは、第２後壁冷気放出部３３の側において第２ダクト部分６７ｃよりも下方に配置されており、第２後壁冷気放出部３３に連通している。
【００６５】
第２上部ダクト６８は、第１上部ダクト６７よりも後方側の領域と上側の領域とを通るように形成されており、天井ダクト４１を介して天井冷気放出部４３に連通している。
【００６６】
次に、このような構成からなる本実施の形態の作用について説明する。ここでは、まず、棚取付用後壁１２に陳列棚２０を取り付ける方法について説明する。
【００６７】
まず、棚取付用後壁１２の棚取付部３０Ｅに陳列棚２０が取り付けられる。
【００６８】
この場合、まず、図５および図６に示すように、陳列棚２０の各棚突出部２２ａが、棚取付用後壁１２に設けられた棚取付部３０Ｅに対応する棚取付孔３０ａに挿入される。続いて、陳列棚２０を下降させ、棚スリット部２２ｂに棚取付用後壁１２の対応する棚支持部３０ｂが挿入され、棚支持部３０ｂが棚突出部２２ａに当接する。このことにより、陳列棚２０が、棚取付部３０Ｅに取り付けられる。
【００６９】
この際、図１２に示すように、陳列棚２０の押圧部２７が、開閉部材７０Ｅを押圧する。このことにより、ヒンジ部７１の付勢力に抗して開閉部材７０Ｅが押圧されて、開放位置に位置づけられ、後壁開口部３１Ｅが開放される。このため、冷気供給部９から第４後壁ダクト６３を通過した冷気が、後壁開口部３１Ｅを通って棚ダクト２４に供給される。棚ダクト２４に供給された冷気は、図２に示すように、棚冷気放出部２３から、当該陳列棚２０と、基台３の陳列室底板７との間の空間に向かって斜め下方に放出される。放出された冷気の流れは当該空間に対するエアカーテンとして機能し、当該空間に外気が流入することを抑制する。なお、図１２に示すように、開閉部材７０Ｅが開放位置に位置づけられると、後壁開口部３１Ｄへの冷気の供給が遮断され、第４後壁ダクト６３からの冷気は、スムースに棚ダクト２４に流入することができる。
【００７０】
棚取付部３０Ｅに陳列棚２０が取り付けられた後、棚取付部３０Ｃ（図３参照）に、他の陳列棚２０（好適には、前後方向長さが棚取付部３０Ｅに取り付けられた陳列棚２０よりも短い陳列棚２０）が取り付けられる。この場合の陳列棚２０の取付手順は、上述した棚取付部３０Ｅに対する陳列棚２０の取付手順と同様であるため、ここでは詳細な説明は省略する。棚取付部３０Ｃに陳列棚２０が取り付けられると、開閉部材７０Ｃが開き、冷気供給部９から第３後壁ダクト６２（図８参照）を通過した冷気が、後壁開口部３１Ｃを通って棚ダクト２４に供給される。棚ダクト２４に供給された冷気は、棚冷気放出部２３から、当該陳列棚２０と、棚取付部３０Ｅに取り付けられた陳列棚２０との間の空間に向かって斜め下方に放出される。放出された冷気の流れは当該空間に対するエアカーテンとして機能し、当該空間に外気が流入することを抑制する。
【００７１】
棚取付部３０Ｃに陳列棚２０が取り付けられた後、棚取付部３０Ａに、他の陳列棚２０（好適には、前後方向長さが棚取付部３０Ｃに取り付けられた陳列棚２０よりも短い陳列棚２０）が取り付けられる。この場合の陳列棚２０の取付手順は、上述した棚取付部３０Ｅに対する陳列棚２０の取付手順と同様であるため、ここでは詳細な説明は省略する。棚取付部３０Ａに陳列棚２０が取り付けられると、開閉部材７０Ａが開き、冷気供給部９から第２後壁ダクト６１を通過した冷気が、後壁開口部３１Ａを通過して棚ダクト２４に供給される。棚ダクト２４に供給された冷気は、棚冷気放出部２３から、当該陳列棚２０と、棚取付部３０Ｃに取り付けられた陳列棚２０との間の空間に向かって斜め下方に放出される。放出された冷気の流れは当該空間に対するエアカーテンとして機能し、当該空間に外気が流入することを抑制する。
【００７２】
このようにして、図１および図２に示すようなショーケース１を得ることができる。なお、棚取付用後壁１２への陳列棚２０の取付の順番は、上述した順番に限られることはなく、任意である。また、各棚取付部３０Ａ、Ｃ、Ｅから陳列棚２０を取り外す場合には、上述した手順と逆の手順を踏めばよい。
【００７３】
図１および図２に示す形態においては、各陳列棚２０の棚冷気放出部２３から冷気が放出されるとともに、天井冷気放出部４３からも冷気が放出される。すなわち、冷気供給部９から第１後壁ダクト６０および第２上部ダクト６８を通過して天井ダクト４１に供給される。天井ダクト４１に供給された冷気は、天井冷気放出部４３から、天井部５と最上位の陳列棚２０（棚取付部３０Ａに取り付けられた陳列棚２０）との間の空間に向かって斜め下方に放出される。放出された冷気の流れは当該空間に対するエアカーテンとして機能し、当該空間に外気が流入することを抑制する。また、当該空間には、第１後壁冷気放出部３２および第２後壁冷気放出部３３から、第１後壁ダクト６０および第１上部ダクト６７を通過して冷気が放出される。
【００７４】
次に、後壁４およびダクト区画板６４〜６６の分解方法について図１３乃至図１７を用いて説明する。
【００７５】
まず、棚取付用後壁１２に取り付けられていた陳列棚２０が取り外される。続いて、図１３に示すように、基台３の陳列室底板７が取り外される。
【００７６】
陳列室底板７が取り外された後、後壁４がフレーム５０から取り外される。図１３では、上下方向に２つに分割された後壁４が、フレーム５０から取り外される例を示している。なお、ここでは、棚取付用後壁１２および天井側後壁１３は取り外されない例について説明するが、これに限られることはない。
【００７７】
この場合、まず、後壁４を上方に移動させ、各後壁支持スリット部５１ｃから、対応する後壁被支持部３５が取り出される。このことにより、後壁４の前後方向移動および側方移動の規制が解除される。後壁４の上方への移動は、天井側後壁１３と後壁４との間に形成された第２後壁冷気放出部３３の開口高さ寸法分を利用して行うことができる。また、後壁４は、例えば、開閉部材７０Ａ〜７０Ｅを押圧して現れる後壁開口部３１Ａ〜３１Ｅを把持部として利用することができる。続いて、後壁４を前方に移動させて陳列室２から取り出される。このようにして、後壁４をフレーム５０から取り外すことができる。なお、後壁４をフレーム５０に取り付ける場合には、この手順と逆の手順を踏めばよい。
【００７８】
後壁４が取り外された後、図１４に示すように、第３ダクト区画板６６が第２ダクト区画板６５から取り外される。
【００７９】
この場合、まず、第３ダクト区画板６６を上方に移動させ、第２ダクト区画板６５の各区画板係止部６５ｂが、対応する区画板被係止部６６ｂの区画板スリット部（図示せず）から取り出される。このことにより、第３ダクト区画板６６の前後方向移動および側方移動の規制が解除される。また、第３ダクト区画板６６を上方に移動させることにより、区画板支持部５２の第３区画板支持溝５６から第３ダクト区画板６６の下端部が取り出される。続いて、第３ダクト区画板６６を前方に移動させて、第３ダクト区画板６６が陳列室２から取り出される。このようにして、第３ダクト区画板６６を第２ダクト区画板６５から取り外すことができる。なお、第３ダクト区画板６６を第２ダクト区画板６５に取り付ける場合には、この手順と逆の手順を踏めばよい。
【００８０】
第３ダクト区画板６６が取り外された後、図１５に示すように、第２ダクト区画板６５が第１ダクト区画板６４から取り外される。
【００８１】
この場合、まず、第２ダクト区画板６５を上方に移動させ、第１ダクト区画板６４の各区画板係止部６４ｄが、対応する区画板被係止部６５ａの区画板スリット部（図示せず）から取り出される。このことにより、第２ダクト区画板６５の前後方向移動および側方移動の規制が解除される。また、第２ダクト区画板６５を上方に移動させることにより、区画板支持部５２の第２区画板支持溝５５から第２ダクト区画板６５の下端部が取り出される。続いて、第２ダクト区画板６５を前方に移動させて、第２ダクト区画板６５が陳列室２から取り出される。このようにして、第２ダクト区画板６５を第１ダクト区画板６４から取り外すことができる。なお、第２ダクト区画板６５を第１ダクト区画板６４に取り付ける場合には、この手順と逆の手順を踏めばよい。
【００８２】
第２ダクト区画板６５が取り外された後、図１６に示すように、第１ダクト区画板６４がフレーム５０から取り外される。
【００８３】
この場合、まず、第１ダクト区画板６４を上方に移動させ、フレーム５０の各区画板係止部５７が、対応する区画板被係止部６４ｂの区画板スリット部６４ｃから取り出される。このことにより、第１ダクト区画板６４の前後方向移動および側方移動の規制が解除される。また、第１ダクト区画板６４を上方に移動させることにより、区画板支持部５２の第１区画板支持溝５４から第１ダクト区画板６４の下端部が取り出される。続いて、第１ダクト区画板６４を前方に移動させて、第１ダクト区画板６４が陳列室２から取り出される。このようにして、第１ダクト区画板６４をフレーム５０から取り外すことができる。なお、第１ダクト区画板６４をフレーム５０に取り付ける場合には、この手順と逆の手順を踏めばよい。
【００８４】
このようにして、図１７に示すように、後壁４、第３ダクト区画板６６、第２ダクト区画板６５および第１ダクト区画板６４が、フレーム５０から取り外される。このため、後壁ダクト６０〜６３が存在していた領域に容易にアクセスすることができ、ダクトの清掃を容易に行うことができる。また、取り外された後壁４、各ダクト区画板６４〜６６の清掃も容易に行うことができる。
【００８５】
このように本実施の形態によれば、陳列棚２０が、棚取付用後壁１２に着脱可能に取り付けられている。このことにより、陳列棚２０に陳列する商品の大きさに応じて、陳列棚２０の取付高さを変えることができ、陳列棚２０上の陳列スペースを変えることができる。このため、商品の大きさに柔軟に対応可能なショーケース１を得ることができる。
【００８６】
また、本実施の形態によれば、陳列棚２０が棚取付用後壁１２に取り付けられた場合に、後壁開口部３１Ａ〜３１Ｅに開閉可能に設けられた開閉部材７０Ａ〜７０Ｅが、当該陳列棚２０の押圧部２７によって押圧されて後壁開口部３１Ａ〜３１Ｅが開放される。このことにより、後壁開口部３１Ａ〜３１Ｅを開放することができ、冷気供給部９からの冷気を、陳列棚２０の棚冷気放出部２３から放出させることができる。放出された冷気の流れは、当該陳列棚２０の下方の空間に対してエアカーテンとして機能することができ、当該空間に外気が流入することを抑制できる。すなわち、各陳列棚２０に商品が陳列される空間の前方に冷気のエアカーテンをそれぞれ形成することができ、各空間に外気が流入することを抑制できる。このため、図１８に示すような従来のショーケースにおいて、陳列室２の前方に天井部５から吸引口８にわたるエアカーテンを形成することを不要にできる。この場合、このようなエアカーテンを形成するために天井部５の前方まで延びるダクトを不要にすることができる。このことにより、天板４０越しに最上位の陳列棚２０に陳列された商品を視認可能にすることができ、陳列棚２０に陳列された商品を見やすくすることができる。
【００８７】
また、本実施の形態によれば、陳列棚２０が取り付けられていない場合には、後壁開口部３１Ａ〜３１Ｅは、ヒンジ部７１によって付勢された開閉部材７０Ａ〜７０Ｅによって閉じられる。このことにより、冷気供給部９からの冷気が、陳列棚２０が取り付けられていない後壁開口部３１Ａ〜３１Ｅから陳列室２に放出されることを抑制できる。このため、陳列棚２０の棚冷気放出部２３からの冷気の放出量を確保することができ、放出される冷気が形成するエアカーテンによって、外気が流入することをより一層抑制できる。また、ヒンジ部７１が付勢部材として構成されていることにより、開閉部材７０Ａ〜７０Ｅの取り付け構造を簡素化することができる。
【００８８】
また、本実施の形態によれば、後壁４とフレーム５０との間に、冷気供給部９から陳列室２に向かう冷気が通過する後壁ダクト６０〜６３が設けられ、後壁４が、このフレーム５０に着脱可能に取り付けられている。このことにより、後壁４をフレーム５０から容易に取り外すことができ、後壁４の内面（後壁ダクト６０〜６３の側の面）の清掃を容易に行うことができる。また、後壁４が取り外されたことにより、ダクトに容易にアクセすることができ、ダクトの清掃を容易に行うことができる。
【００８９】
また、本実施の形態によれば、第１後壁ダクト６０と第２後壁ダクト６１を区画する第１ダクト区画板６４が、フレーム５０に着脱可能に設けられている。このことにより、第１ダクト区画板６４をフレーム５０から容易に取り外すことができ、第１ダクト区画板６４の清掃を容易に行うことができる。また、第１ダクト区画板６４が取り外されたことにより、ダクトの清掃を容易に行うことができる。さらに、本実施の形態によれば、第２ダクト区画板６５を第１ダクト区画板６４から容易に取り外すことができ、第３ダクト区画板６６を第２ダクト区画板６５から容易に取り外すことができる。このため、ダクトの清掃をより一層容易に行うことができる。
【００９０】
また、本実施の形態によれば、天井部５に、冷気を陳列室２に放出する天井冷気放出部４３が設けられ、天井冷気放出部４３が、最上位の陳列棚２０を照明する第１天井照明装置４２よりも前方に配置されている。このことにより、天井冷気放出部４３から放出される冷気の流れは、天井部５と最上位の陳列棚２０との間の空間に対するエアカーテンとして機能することができ、当該空間に外気が流入することを抑制できる。このため、図１８に示すような従来のショーケースにおいて、陳列室２の前方に天井部５から吸引口８にわたるエアカーテンを形成することを不要にできる。この場合、このようなエアカーテンを形成するために天井部５の前方まで延びるダクトを不要にすることができる。このことにより、天板４０越しに最上位の陳列棚２０に陳列された商品を視認可能にすることができ、陳列棚２０に陳列された商品を見やすくすることができる。とりわけ、天井冷気放出部４３が、第１天井照明装置４２よりも前方に配置されているため、天井部５の前方（とりわけ天板４０の前方）に結露が発生することを抑制でき、天板４０越しに最上位の陳列棚２０に陳列された商品を見やすくすることができる。
【００９１】
また、本実施の形態によれば、天井側後壁１３に、冷気を陳列室２に放出する第１後壁冷気放出部３２が設けられている。このことにより、天井部５と最上位の陳列棚２０との間の空間に、上述した天井冷気放出部４３とは前後方向に異なる位置から冷気を放出することができる。このため、当該空間に陳列されている商品に直接的に冷気を供給することができ、商品を効果的に冷却することができる。とりわけ、本実施の形態によれば、天井側後壁１３には、第２後壁冷気放出部３３が設けられていることにより、当該空間に陳列されている商品に供給される冷気の流量を増大させることができ、商品をより一層確実に冷却することができる。
【００９２】
本発明は上述した本実施の形態に限定されるものではなく、実施段階ではその要旨を逸脱しない範囲で構成要素を変形して具体化できる。また、上記実施の形態に開示されている複数の構成要素の適宜な組み合わせにより、種々の発明を形成できる。実施の形態に示される全構成要素から幾つかの構成要素を削除してもよい。
【００９３】
なお、上述した本実施の形態においては、図１および図２に示すように、全体的に陳列棚２０が３段構成であるショーケース、または、図３に示すように、全体的に陳列棚２０が２段構成であるショーケースの例について説明した。しかしながら、このことに限られることはなく、前方から見たときに、陳列棚２０が２列以上の構成を有していてもよい。例えば左半分と右半分とで陳列棚２０が別々に取り付けられて、左側の陳列棚２０の列が３段構成になり、右側の陳列棚２０の列が２段構成になるようなショーケースであってもよい。この場合、左側の陳列棚２０の列に対応して左側の後壁４が設けられるとともに、右側の陳列棚２０の列に対応して右側の後壁４が設けられる。そして、左側の後壁４の左右方向両側に、上述した棚取付用後壁１２が設けられるとともに、右側の後壁４の左右方向両側に、上述した棚取付用後壁１２が設けられるようにし、左側の後壁４と右側の後壁４との間に２つの棚取付用後壁１２（一体でも可）が介在されるようにしてもよい。また、陳列棚２０を２列以上の構成とする場合、いずれかの陳列棚２０の列が、他の陳列棚２０の列に対して斜めに配置されていてもよい。より具体的には、いずれかの陳列棚２０の列に対応する後壁４が、他の陳列棚２０の列に対応する後壁４に対して上方から見た場合に斜めに配置され、前方だけでなく、斜め前方からもショーケースに消費者が容易にアクセス可能になっていてもよい。このようなショーケースも本発明の適用範囲内である。
【００９４】
また、上述した本実施の形態においては、後壁４に、後壁開口部３１Ａ〜３１Ｅとは別に冷気を陳列室２に放出する放出孔（図示せず）が設けられていてもよい。棚取付用後壁１２および天井側後壁１３についても同様である。
【符号の説明】
【００９５】
１      ショーケース
２      陳列室
３      基台
４      後壁
７      陳列室底板
８      吸引口
９      冷気供給部
２０    陳列棚
２３    棚冷気放出部
２４    棚ダクト
２７    押圧部
２７ａ  当接面
３０Ａ〜３０Ｅ  棚取付部
３１Ａ〜３１Ｅ  後壁開口部
６０    第１後壁ダクト
６１    第２後壁ダクト
６２    第３後壁ダクト
６３    第４後壁ダクト
７０Ａ〜７０Ｅ  開閉部材
７０ａ  被当接面
７１    ヒンジ部
【図１】
2018033607.tif 000003
【図２】
2018033607.tif 000004
【図３】
2018033607.tif 000005
【図４】
2018033607.tif 000006
【図５】
2018033607.tif 000007
【図６】
2018033607.tif 000008
【図７】
2018033607.tif 000009
【図８】
2018033607.tif 000010
【図９Ａ】
2018033607.tif 000011
【図９Ｂ】
2018033607.tif 000012
【図１０】
2018033607.tif 000013
【図１１Ａ】
2018033607.tif 000014
【図１１Ｂ】
2018033607.tif 000015
【図１２】
2018033607.tif 000016
【図１３】
2018033607.tif 000017
【図１４】
2018033607.tif 000018
【図１５】
2018033607.tif 000019
【図１６】
2018033607.tif 000020
【図１７】
2018033607.tif 000021
【図１８】
2018033607.tif 000022
【手続補正書】
【提出日】平成29年12月22日(2017.12.22)
【手続補正１】
【補正対象書類名】特許請求の範囲
【補正対象項目名】全文
【補正方法】変更
【補正の内容】
【特許請求の範囲】
【請求項１】
商品が陳列される陳列室に冷気を供給するように構成されたオープン型のショーケースであって、
前記陳列室の下方に設けられ、陳列室底板を有する基台と、
前記陳列室の後方に設けられた後壁と、
前方から見たときに前記後壁の両側に設けられた棚取付用後壁と、
前記後壁から前方に延びるとともに前記棚取付用後壁に着脱可能に取り付けられた複数の陳列棚と、
前記陳列室に前記冷気を供給する冷気供給部と、を備え、
前記陳列棚の各々は、前記冷気供給部から供給された前記冷気を当該陳列棚の下方に放出する棚冷気放出部を有し、
前記棚取付用後壁は、互いに異なる高さ位置に前記陳列棚を取り付け可能な複数の棚取付部を有し、
前記後壁は、前記棚取付部に対応して設けられた複数の後壁開口部を有し、
前記後壁開口部の各々に、当該後壁開口部を開閉可能な開閉部材が設けられ、
前記開閉部材は、付勢部材によって対応する前記後壁開口部を閉塞する方向に付勢され、
前記陳列棚の各々は、前記棚取付部に取り付けられた場合に、対応する前記開閉部材を押圧して前記後壁開口部を開放する押圧部を更に有し、
前記後壁開口部が開放された場合、前記冷気供給部からの前記冷気が、前記陳列棚の前記棚冷気放出部に供給される、オープン型のショーケース。
【請求項２】
前記開閉部材は、ヒンジ部を介して、前記後壁に揺動可能に取り付けられ、
前記ヒンジ部は、前記開閉部材を、対応する前記後壁開口部を閉塞する方向に付勢する前記付勢部材として構成されている、請求項１に記載のオープン型のショーケース。
【請求項３】
前記開閉部材は、前記押圧部が当接する被当接面を含み、
前記押圧部は、前記開閉部材が対応する前記後壁開口部を開放している場合に前記被当接面に平行になる当接面を含んでいる、請求項２に記載のオープン型のショーケース。
【請求項４】
商品が陳列される陳列室に冷気を供給するように構成されたオープン型のショーケースであって、
前記陳列室の下方に設けられ、陳列室底板を有する基台と、
前記陳列室の後方に設けられた後壁と、
前方から見たときに前記後壁の両側に設けられた棚取付用後壁と、
前記後壁から前方に延びるとともに前記棚取付用後壁に着脱可能に取り付けられた陳列棚と、
前記陳列室に前記冷気を供給する冷気供給部と、を備え、
前記陳列棚は、前記冷気供給部から供給された前記冷気を前記陳列室に放出する棚冷気放出部を有し、
前記棚取付用後壁は、互いに異なる高さ位置に前記陳列棚を取り付け可能な複数の棚取付部を有し、
前記後壁は、前記棚取付部に対応して設けられた複数の後壁開口部を有し、
前記後壁開口部の各々に、当該後壁開口部を開閉可能な開閉部材が設けられ、
前記開閉部材は、付勢部材によって対応する前記後壁開口部を閉塞する方向に付勢され、
前記陳列棚は、前記棚取付部に取り付けられた場合に、対応する前記開閉部材を押圧して前記後壁開口部を開放する押圧部を更に有し、
前記後壁開口部が開放された場合、前記冷気供給部からの前記冷気が、前記陳列棚の前記棚冷気放出部に供給され、
前記開閉部材は、ヒンジ部を介して、前記後壁に揺動可能に取り付けられ、
前記ヒンジ部は、前記開閉部材を、対応する前記後壁開口部を閉塞する方向に付勢する前記付勢部材として構成され、
前記開閉部材は、前記押圧部が当接する被当接面を含み、
前記押圧部は、前記開閉部材が対応する前記後壁開口部を開放している場合に前記被当接面に平行になる当接面を含んでいる、オープン型のショーケース。
【請求項５】
前記陳列棚内に、前記後壁開口部を介して供給される前記冷気を前記棚冷気放出部に供給する棚ダクトが設けられている、請求項１乃至４のいずれか一項に記載のオープン型のショーケース。
【請求項６】
前記後壁の後方に、前記冷気供給部と複数の前記後壁開口部とを連通した後壁ダクトが設けられ、
前記開閉部材の各々は、前記後壁ダクト内に配置されている、請求項１乃至５のいずれか一項に記載のオープン型のショーケース。
【請求項７】
複数の前記開閉部材のうち他の前記開閉部材よりも下方に配置された前記開閉部材は、対応する前記棚取付部に前記陳列棚が取り付けられた場合に、当該他の開閉部材に対応する前記後壁開口部への前記冷気の供給を遮断する、請求項１乃至６のいずれか一項に記載のオープン型のショーケース。